(57)【要約】【課題】被災地などに設置される仮設ＰＢＸシステムへの加入者データ登録を迅速化し、早期に電話サービスを提供可能とする。【解決手段】ＰＢＸシステムは、内線電話端末の加入者データを格納する加入者データベース１３と、固有のＩＰアドレスが払い出され、かつ電話番号が付与されたＩＰ電話端末４ｃから固有のＩＰアドレスと前記電話番号とを含んだSIP Registerを受信したならば、これら固有のＩＰアドレスと電話番号とを対応付けて加入者データベース１３に登録し、ＩＰ電話端末４ｃを内線電話端末として加入者登録する加入者情報登録管理部１４とを備える。【選択図】図３
2015154347.tif 000002
【特許請求の範囲】
【請求項１】
加入者の端末情報を格納する加入者データベースと、
固有のＩＰアドレスが払い出され、かつ電話番号が付与されたＩＰ電話端末から、前記固有のＩＰアドレスと前記電話番号の登録命令を受信したならば、前記固有のＩＰアドレスと前記電話番号とを対応付けて前記加入者データベースに登録し、前記ＩＰ電話端末を内線電話端末として加入者登録する加入者情報登録管理部と、
を備えることを特徴とするＰＢＸシステム。
【請求項２】
前記ＩＰ電話端末は、
ＩＰ通信による通話を実行するＩＰ電話処理部と、
前記電話番号が付与済みのＳＩＭ（Subscriber Identity Module）カードと、
ＰＢＸシステムが接続されているＬＡＮから前記固有のＩＰアドレスの払い出しを受けたのち、ＰＢＸシステムに前記固有のＩＰアドレスと前記電話番号の登録命令を送信して、自身をＰＢＸシステムの内線電話端末として加入者登録させるＩＰ−ＰＢＸ登録部と、
を備える携帯電話端末である、
ことを特徴とする請求項１に記載のＰＢＸシステム。
【請求項３】
ＬＡＮを介してＰＢＸシステムに収容可能な電話端末であって、
電話番号を取得する電話番号取得部と、
前記電話番号が設定されて、ＩＰ電話の処理を実行するＩＰ電話処理部と、
前記ＰＢＸシステムが接続されている前記ＬＡＮから固有のＩＰアドレスの払い出しを受けたのち、前記ＰＢＸシステムに前記固有のＩＰアドレスと前記電話番号の登録命令を送信して、自身を前記ＰＢＸシステムの内線電話端末として加入者登録するＩＰ−ＰＢＸ登録部と、
を備えることを特徴とする電話端末。
【請求項４】
請求項３に記載の電話端末に、
前記ＰＢＸシステムが接続されている前記ＬＡＮから前記固有のＩＰアドレスの払い出しを受けるステップと、
前記ＰＢＸシステムに前記固有のＩＰアドレスと前記電話番号の登録命令を送信して、自身を前記ＰＢＸシステムの内線電話端末として加入者登録するステップと、
前記電話番号が設定されて、ＩＰ電話の処理を実行するステップと、
を実行させるための電話端末のプログラム。
【請求項５】
無線ＬＡＮを介してＰＢＸシステムに収容可能な携帯電話端末であって、
電話番号が付与済みのＳＩＭカードと、
前記電話番号が設定されて、ＩＰ電話の処理を実行するＩＰ電話処理部と、
前記ＰＢＸシステムが接続されている前記無線ＬＡＮから固有のＩＰアドレスの払い出しを受けたのち、前記ＰＢＸシステムに前記固有のＩＰアドレスと前記電話番号の登録命令を送信して、自身を前記ＰＢＸシステムの内線電話端末として加入者登録するＩＰ−ＰＢＸ登録部と、
を備えることを特徴とする携帯電話端末。
【請求項６】
請求項５に記載の携帯電話端末に、
前記ＰＢＸシステムが接続されている前記無線ＬＡＮから前記固有のＩＰアドレスの払い出しを受けるステップと、
前記ＰＢＸシステムに前記固有のＩＰアドレスと前記電話番号の登録命令を送信して、自身を前記ＰＢＸシステムの内線電話端末として加入者登録するステップと、
前記電話番号が設定されて、ＩＰ電話の処理を実行するステップと、
を実行させるための携帯電話端末のプログラム。
【請求項７】
無線ＬＡＮを介してＰＢＸシステムに収容可能な携帯電話端末を内線電話端末として加入者登録する加入者情報登録方法であって、
前記携帯電話端末は、前記ＰＢＸシステムが接続されている前記無線ＬＡＮの基地局から固有のＩＰアドレスの払い出しを受けるステップと、
自身に搭載されているＳＩＭカードから電話番号を読み出して、自身のＩＰ電話処理部に設定するステップと、
前記ＰＢＸシステムに前記固有のＩＰアドレスと前記電話番号の登録命令を送信するステップと、を実行し、
前記ＰＢＸシステムは、前記固有のＩＰアドレスと前記電話番号とを対応付けて、新たに収容する内線電話端末の加入者情報として加入者データベースに登録するステップを実行する、
ことを特徴とするＰＢＸシステムの加入者情報登録方法。
【請求項８】
ＬＡＮを介してＰＢＸシステムに収容可能な電話端末を内線電話端末として加入者登録する加入者情報登録方法であって、
前記電話端末は、前記ＰＢＸシステムが接続されている前記ＬＡＮから固有のＩＰアドレスの払い出しを受けるステップと、
自身の電話番号をＩＰ電話処理部に設定するステップと、
前記ＰＢＸシステムに前記固有のＩＰアドレスと前記電話番号の登録命令を送信するステップと、を実行し、
前記ＰＢＸシステムは、前記固有のＩＰアドレスと前記電話番号とを対応付けて、新たに収容する内線電話端末の加入者情報として加入者データベースに登録するステップを実行する、
ことを特徴とするＰＢＸシステムの加入者情報登録方法。
【発明の詳細な説明】
【技術分野】
【０００１】
本発明は、大規模災害などによって電話が利用不能となった被災地に、従前より使用されていたスマートフォンなどの携帯電話端末や電話端末を用いて臨時の電話サービスを好適に提供するＰＢＸ（Private Branch eXchange）システム、電話端末、携帯電話端末、およびＰＢＸシステムの加入者情報登録方法に関する。
【背景技術】
【０００２】
大規模災害などによって電話が利用不能となった被災地に、臨時に無線ＬＡＮ（Local Area Network）対応の仮設ＰＢＸシステムを設置することで、従前より使用されていた携帯電話端末を用いて臨時の電話サービスを提供することが検討されている。しかし、従来の市販のＰＢＸシステムを仮設ＰＢＸシステムとして利用しようとした場合には、内線電話端末として新たに収容される携帯電話端末の加入者情報を、専門知識を有する技術者が、管理端末などから登録する必要があった（例えば、非特許文献１参照）。また、登録対象となる被災地のすべての電話端末の加入者情報を正確かつ迅速に収集することも困難であった。
【先行技術文献】
【非特許文献】
【０００３】
【非特許文献１】「InfiniTalk」、インフィニトーク株式会社、［online］、［２０１４年１月８日検索］、インターネット<URL：http://www.infinitalk.co.jp/scene/office-pbx.html>
【発明の概要】
【発明が解決しようとする課題】
【０００４】
従来のＰＢＸシステムを仮設ＰＢＸシステムとして利用するためには、専門技術者が加入者情報を登録しなければならない。よって、利用者からの依頼に基づいて登録操作を行うため、登録が完了するまでのタイムラグやデータの投入誤りが発生していた。また、同時に多数の利用者の加入者情報を登録しようとすると、専門技術者に作業の人的負担が集中し、技量や要員数によっては登録作業が滞り、電話サービスの提供が遅れる虞があった。
【０００５】
本発明は、前記の問題点に鑑みてなされたものであり、被災地などに設置される仮設ＰＢＸシステムへの加入者情報の登録を迅速化し、早期に電話サービスを提供できるＰＢＸシステム、電話端末、携帯電話端末、およびＰＢＸシステムの加入者情報登録方法を提供することを目的とする。
【課題を解決するための手段】
【０００６】
前記の目的を達成するために、請求項１に記載の発明では、加入者の端末情報を格納する加入者データベースと、固有のＩＰアドレスが払い出され、かつ電話番号が付与されたＩＰ電話端末から、前記固有のＩＰアドレスと前記電話番号の登録命令を受信したならば、前記固有のＩＰアドレスと前記電話番号とを対応付けて前記加入者データベースに登録し、前記ＩＰ電話端末を内線電話端末として加入者登録する加入者情報登録管理部と、を備えることを特徴とするＰＢＸシステムとした。
【０００７】
このようにすることで、例えば、大規模災害などによって利用不能となった各種電話端末を、管理者無しにＰＢＸシステムの内線電話端末として容易に加入者登録できる。よって、被災地などに設置される仮設ＰＢＸシステムへの加入者情報登録を迅速化し、早期に電話サービスを提供できる。
【０００８】
請求項２に記載の発明では、前記ＩＰ電話端末は、ＩＰ通信による通話を実行するＩＰ電話処理部と、前記電話番号が付与済みのＳＩＭ（Subscriber Identity Module）カードと、ＰＢＸシステムが接続されているＬＡＮから前記固有のＩＰアドレスの払い出しを受けたのち、ＰＢＸシステムに前記固有のＩＰアドレスと前記電話番号の登録命令を送信して、自身をＰＢＸシステムの内線電話端末として加入者登録させるＩＰ−ＰＢＸ登録部と、を備える携帯電話端末である、ことを特徴とする請求項１に記載のＰＢＸシステムとした。
【０００９】
このようにすることで、携帯電話端末の電話番号を、そのままＰＢＸシステムの内線電話番号とすることができる。よって、外部の電話端末から、この携帯電話端末への発呼が容易に行える。
【００１０】
請求項３に記載の発明では、ＬＡＮを介してＰＢＸシステムに収容可能な電話端末であって、電話番号を取得する電話番号取得部と、前記電話番号が設定されて、ＩＰ電話の処理を実行するＩＰ電話処理部と、前記ＰＢＸシステムが接続されている前記ＬＡＮからから固有のＩＰアドレスの払い出しを受けたのち、前記ＰＢＸシステムに前記固有のＩＰアドレスと前記電話番号の登録命令を送信して、自身を前記ＰＢＸシステムの内線電話端末として加入者登録するＩＰ−ＰＢＸ登録部と、を備えることを特徴とする電話端末とした。
【００１１】
このようにすることで、例えば、大規模災害などによって利用不能となったＩＰ電話端末を、管理者無しにＰＢＸシステムの内線電話端末として容易に加入者登録できる。ＩＰ電話端末に付与されている電話番号を内線電話番号としてそのまま利用するので、内線電話番号の入力が不要であり、ＰＢＸシステムの内線電話端末として正確に加入者登録できる。
【００１２】
請求項４に記載の発明では、請求項３に記載の電話端末に、前記ＰＢＸシステムが接続されている前記ＬＡＮから前記固有のＩＰアドレスの払い出しを受けるステップと、前記ＰＢＸシステムに前記固有のＩＰアドレスと前記電話番号の登録命令を送信して、自身を前記ＰＢＸシステムの内線電話端末として加入者登録するステップと、前記電話番号が設定されて、ＩＰ電話の処理を実行するステップと、を実行させるための電話端末のプログラムとした。
【００１３】
このようにすることで、例えば、大規模災害などによって利用不能となったＩＰ電話端末に、この電話端末のプログラムをインストールすることで、管理者無しにＰＢＸシステムの内線電話端末として容易に加入者登録できる。
【００１４】
請求項５に記載の発明では、無線ＬＡＮを介してＰＢＸシステムに収容可能な携帯電話端末であって、電話番号が付与済みのＳＩＭカードと、前記電話番号が設定されて、ＩＰ電話の処理を実行するＩＰ電話処理部と、前記ＰＢＸシステムが接続されている前記無線ＬＡＮから固有のＩＰアドレスの払い出しを受けたのち、前記ＰＢＸシステムに前記固有のＩＰアドレスと前記電話番号の登録命令を送信して、自身を前記ＰＢＸシステムの内線電話端末として加入者登録するＩＰ−ＰＢＸ登録部と、を備えることを特徴とする携帯電話端末とした。
【００１５】
このようにすることで、管理者無しに携帯電話端末をＰＢＸシステムに収容可能となる。更に、携帯電話端末がＳＩＭカードから取得した電話番号を、ＰＢＸシステムの内線電話番号とすることができる。
【００１６】
請求項６に記載の発明では、請求項５に記載の携帯電話端末に、前記ＰＢＸシステムが接続されている前記無線ＬＡＮから前記固有のＩＰアドレスの払い出しを受けるステップと、前記ＰＢＸシステムに前記固有のＩＰアドレスと前記電話番号の登録命令を送信して、自身を前記ＰＢＸシステムの内線電話端末として加入者登録するステップと、前記電話番号が設定されて、ＩＰ電話の処理を実行するステップと、を実行させるための携帯電話端末のプログラムとした。
【００１７】
このようにすることで、例えば、大規模災害などによって利用不能となった携帯電話端末に、この携帯電話端末のプログラムをインストールすることで、管理者無しにＰＢＸシステムの内線電話端末として容易に加入者登録できる。
【００１８】
請求項７に記載の発明では、無線ＬＡＮを介してＰＢＸシステムに収容可能な携帯電話端末を内線電話端末として加入者登録する加入者情報登録方法であって、前記携帯電話端末は、前記ＰＢＸシステムが接続されている前記無線ＬＡＮの基地局から固有のＩＰアドレスの払い出しを受けるステップと、自身に搭載されているＳＩＭカードから電話番号を読み出して、自身のＩＰ電話処理部に設定するステップと、前記ＰＢＸシステムに前記固有のＩＰアドレスと前記電話番号の登録命令を送信するステップと、を実行し、前記ＰＢＸシステムは、前記固有のＩＰアドレスと前記電話番号とを対応付けて、新たに収容する内線電話端末の加入者情報として加入者データベースに登録するステップを実行する、ことを特徴とするＰＢＸシステムの加入者情報登録方法とした。
【００１９】
このようにすることで、例えば、大規模災害などによって利用不能となった携帯電話端末を、管理者無しにＰＢＸシステムの内線電話端末として容易に加入者登録できる。携帯電話端末に付与されている携帯電話番号を内線電話番号としてそのまま利用するので、内線電話番号の入力が不要であり、ＰＢＸシステムの内線電話端末として正確に加入者登録できる。
【００２０】
請求項８に記載の発明では、ＬＡＮを介してＰＢＸシステムに収容可能な電話端末を内線電話端末として加入者登録する加入者情報登録方法であって、前記電話端末は、前記ＰＢＸシステムが接続されている前記ＬＡＮから固有のＩＰアドレスの払い出しを受けるステップと、自身の電話番号をＩＰ電話処理部に設定するステップと、前記ＰＢＸシステムに前記固有のＩＰアドレスと前記電話番号の登録命令を送信するステップと、を実行し、前記ＰＢＸシステムは、前記固有のＩＰアドレスと前記電話番号とを対応付けて、新たに収容する内線電話端末の加入者情報として加入者データベースに登録するステップを実行する、ことを特徴とするＰＢＸシステムの加入者情報登録方法とした。
【００２１】
このようにすることで、例えば、大規模災害などによって利用不能となったＩＰ電話端末を、管理者無しにＰＢＸシステムの内線電話端末として容易に加入者登録できる。ＩＰ電話端末に付与されている電話番号を内線電話番号としてそのまま利用するので、内線電話番号の入力が不要であり、ＰＢＸシステムの内線電話端末として正確に加入者登録できる。
【発明の効果】
【００２２】
本発明によれば、被災地などに設置される仮設ＰＢＸシステムへの加入者情報登録を迅速化し、早期に電話サービスを提供できるＰＢＸシステム、電話端末、携帯電話端末、およびＰＢＸシステムの加入者情報登録方法を提供することが可能となる。
【図面の簡単な説明】
【００２３】
【図１】本実施形態における仮設ＰＢＸシステムを示す概略の構成図である。
【図２】複数の仮設ＰＢＸシステムが連携して通話サービスを提供することを示す説明図である。
【図３】本実施形態における仮設ＰＢＸシステムの各装置を示す概略の構成図である。
【図４】ＩＰ−ＰＢＸサーバ同士で加入者情報を同期することを示す説明図である。
【図５】本実施形態における各データベースを示す構成図である。
【図６】本実施形態における内線電話端末の登録のシーケンス図である。
【図７】本実施形態における内線電話端末からの発信のシーケンス図である。
【図８】本実施形態における内線電話端末への着信のシーケンス図である。
【図９】大規模災害などによって被災したエリアの通話路が遮断される例を示した説明図である。
【発明を実施するための形態】
【００２４】
次に、本発明を実施するための形態（「実施形態」という）について、適宜図面を参照しながら詳細に説明する。
図９は、大規模災害などによって被災したエリアＡの通信経路が遮断される例を示した説明図である。
平常時において、エリアＡ内に位置するスマートフォンなどの携帯電話端末３−１，３−２は、最寄の携帯電話基地局７１および携帯電話網７を介して、他の電話端末との間で通話を行うことができる。ここで他の電話端末とは、エリアＡの外に位置する電話端末と、エリアＡの中に位置する電話端末の両方を含んでいる。エリアＡの外に位置する電話端末は、携帯電話端末３−３，３−４や固定電話端末５−２やＩＰ（Internet Protocol）電話端末として機能する汎用のＰＣ（Personal Computer）４ａ−４や、専用のＩＰ電話端末４ｃ−５である。エリアＡの中に位置する電話端末とは、携帯電話端末３−１，３−２や、固定電話端末５−１や、ＩＰ電話端末として機能する汎用のＰＣ４ａ−２や、専用のＩＰ電話端末４ｃ−３である。
【００２５】
同様に、エリアＡ内の固定電話端末５−１は、加入者回線が収容される電話交換局８１および公衆電話網８を介して、他の電話端末との間で通話を行うことができる。
また、エリアＡ内のＩＰ電話端末４ｃ−３や汎用のＰＣ４ａ−２は、アクセス回線が収容されるＩＰ中継局９１およびＩＰ網９を介して、他の電話端末との間で通話を行うことができる。
【００２６】
ここで、図９の×印で示すように、大規模災害などによって、エリアＡに設置されている携帯電話基地局７１、電話交換局８１およびＩＰ中継局９１のすべてが機能を喪失した場合を考える。この場合、エリアＡ内の携帯電話端末３−１，３−２と、固定電話端末５−１と、ＩＰ電話端末４ｃ−３と、ＩＰ電話端末として機能する汎用のＰＣ４ａ−２とは、エリアＡの外に位置する電話端末との間は勿論、エリアＡ内の電話端末との間でも、一切の通話が行えなくなってしまう。
【００２７】
そこで、このような事態に陥った場合に一刻も早く電話サービスを復旧させるべく、自治体などでは、移動式交換局をエリアＡに持ち込んで仮設ＬＡＮ２を構築することが検討されている。これにより、図１に示すように、被災したエリアＡ内の既存の携帯電話端末３−１，３−２や汎用のＰＣ４ａ−１，４ａ−２やＩＰ電話端末４ｃ−３が、移動式交換局の内線電話端末として利用可能となる。
【００２８】
図１は、本実施形態における仮設ＰＢＸシステム１の概略を示す構成図である。
図１に示すように、仮設ＰＢＸシステム１は、被災エリアに設置される移動式交換局であり、ＩＰ−ＰＢＸサーバ１１と、管理端末１２とを備えている。ＩＰ−ＰＢＸサーバ１１は、加入者の端末情報を格納する加入者データベース１３を備えている。仮設ＰＢＸシステム１は、ゲートウェイ６を介して携帯電話網７・公衆電話網８・ＩＰ網９などに接続される。この携帯電話網７には、携帯電話端末３−３，３−４が接続される。公衆電話網８には、固定電話端末５−２が接続される。ＩＰ網９には、汎用のＰＣ４ａ−４や、ＩＰ電話端末４ｃ−５が接続される。
仮設ＬＡＮ２は、例えば被災したエリアに構築され、仮設ＰＢＸシステム１に接続されるＨＵＢ２１と、これに接続される無線ＬＡＮ基地局（アクセスポイント）２２とを備えている。仮設ＬＡＮ２の構築エリアには、携帯電話端末３−１，３−２と、ＩＰ電話端末として機能する汎用のＰＣ４ａ−１，４ａ−２と、ＩＰ電話端末４ｃ−３とが存在する。
仮設ＬＡＮ２は、仮設ＰＢＸシステム１と各装置との間を、ＨＵＢ２１およびＬＡＮケーブルによって有線接続し、無線ＬＡＮ基地局２２を介して無線接続する。従来のＰＢＸシステムを用いて仮設ＰＢＸシステムを設置する場合も、これと同様の構成となる。
【００２９】
しかし、従来のＰＢＸシステムでは、各端末を新たな内線電話端末として収容するまでにかなりの時間を要するという問題があった。従来のＰＢＸシステムにおいて、収容する各端末の加入者情報の登録操作は、専門的知識と登録権限とを有するＳＯ（Service Order）登録者が行う必要があったためである。端末の加入者情報とは、例えば端末の機体識別番号、付与する内線電話番号およびＩＰアドレスなどである。
【００３０】
これに対し、本実施形態の仮設ＰＢＸシステム１は、後記する図３に示すように、電話端末の利用者自身の操作による加入者登録を可能としている。これにより、ＳＯ登録者の作業が不要となるので、既存の携帯電話端末３や汎用のＰＣ４ａやＩＰ電話端末４ｃを用いた電話サービスを早期に提供することができる。
【００３１】
図２に示すように、被災後の復旧が進むと、被災したエリア内の複数拠点に仮設ＰＢＸシステム１を移動式交換局として設置することができる。その結果、仮設ＰＢＸシステム１のそれぞれが形成する通話可能エリアが繋ぎ合わされ、より大規模な通話可能エリアを形成することができる。例えば図２では、新たに携帯電話端末３−５〜３−８が通話可能となる。
このように形成された大規模な通話可能エリア内では、異なるＩＰ−ＰＢＸサーバ１１同士が連携することで、異なるＩＰ−ＰＢＸサーバ１１に収容されている携帯電話端末３同士の内線通話を可能としている。更にゲートウェイ６と接続しているＩＰ−ＰＢＸサーバ１１により、外線と通話することもできる。
【００３２】
図３は、本実施形態における仮設ＰＢＸシステム１の各装置を示す概略の構成図である。
仮設ＰＢＸシステム１は、ＩＰ−ＰＢＸサーバ１１と、管理端末１２と、加入者登録サーバ１６とを含んで構成される。
ＩＰ−ＰＢＸサーバ１１は、加入者の端末情報を格納する加入者データベース１３と、仮設ＰＢＸデータベース１８と、加入者の端末情報の登録と管理とを行う加入者情報登録管理部１４と、端末の呼を制御する呼制御部１５とを備えている。仮設ＰＢＸデータベース１８は、仮設される各ＩＰ−ＰＢＸサーバ１１を識別する情報を格納するものである（図５（ｂ）参照）。加入者情報登録管理部１４は、加入者の端末情報の登録と管理とを行うプログラムの実行により具現化される。呼制御部１５は、端末の呼を制御するプログラムの実行により具現化される。
【００３３】
加入者登録サーバ１６は、加入者の端末情報の登録を受け付ける加入者情報登録受付部１７を備えている。加入者情報登録受付部１７は、加入者の端末情報の登録を受け付ける制御プログラムが不図示のプロセッサで実行されることにより具現化される。
災害時などにおいて、仮設ＰＢＸシステム１に収容可能な電話端末には、ＩＰ通信を用いて通話を行う処理部と、ＩＰ−ＰＢＸサーバ１１への加入者登録機能とが必要となる。仮設ＰＢＸシステム１に収容可能な電話端末は、スマートフォンなどの携帯電話端末３・ＩＰ電話端末４ｃ・汎用のＰＣ４ａなどである。
【００３４】
携帯電話端末３は、ＩＰ通信による通話を実行するＩＰ電話処理部３１と、加入者登録機能を有するＩＰ−ＰＢＸ登録部３２と、固有の電話番号を格納するＳＩＭ（Subscriber Identity Module）カード３３とを備える。携帯電話端末３に予め搭載される専用のアプリケーションプログラムの実行により、ＩＰ−ＰＢＸ登録部３２が具現化される。ＩＰ−ＰＢＸ登録部３２は、仮設ＰＢＸシステム１に固有のＩＰアドレスと電話番号とを含むSIP Register（加入者登録要求）を送信して、自身をＰＢＸシステムの内線電話端末として加入者登録させる。
【００３５】
ＩＰ電話端末４ｃは、ＩＰ通信による通話を実行するＩＰ電話処理部４１と、加入者登録機能を有するＩＰ−ＰＢＸ登録部４２と、固有の電話番号を格納する電話番号格納部４３ｃとを備える。ＩＰ−ＰＢＸ登録部４２は、仮設ＰＢＸシステム１に固有のＩＰアドレスと電話番号とを含むSIP Register（加入者登録要求）を送信して、自身をＰＢＸシステムの内線電話端末として加入者登録させる。
【００３６】
汎用のＰＣ４ａを新たに電話端末として利用する場合には、ＩＰ通信を用いて通話を行うためアプリケーションプログラムの実行により、ＩＰ電話処理部４１が具現化される。汎用のＷｅｂブラウザの実行により、ＩＰ−ＰＢＸ登録部４２と電話番号取得部４３ａとが具現化されるので、当該機能を提供するＷｅｂページのＵＲＬ（Uniform Resource Locator）アドレスが予め記憶部に登録されていればよい。汎用のＰＣ４ａは、ＩＰ通信を用いて通話を行うためアプリケーションプログラムと、Ｗｅｂブラウザとを不図示の記憶部に格納している。
【００３７】
加入者登録サーバ１６の加入者情報登録受付部１７は、携帯電話端末３や汎用のＰＣ４ａから送信される加入者登録要求、および管理端末１２から入力される加入者登録要求などを受け付ける。加入者登録サーバ１６の加入者情報登録受付部１７は、ＩＰ−ＰＢＸサーバ１１の加入者情報登録管理部１４に、この加入者登録要求を転送する。
加入者情報登録管理部１４は、受信した加入者登録要求に含まれている加入者情報を加入者データベース１３に追加して格納する。この加入者登録要求は、携帯電話端末３や汎用のＰＣ４ａやＩＰ電話端末４ｃなどの電話番号と、これらに払い出されたＩＰアドレスを含んでいる。加入者情報登録管理部１４は、ＩＰアドレスと電話番号とを対応付けて加入者データベース１３に登録し、携帯電話端末３や汎用のＰＣ４ａやＩＰ電話端末４ｃなどを内線電話端末として加入者登録する。
【００３８】
災害時などにおいて、新たに移動式交換局を設置して仮設ＰＢＸシステム１への加入者登録を行う場合には、以下の手順で行う。
最初に、対象となる電話端末の利用者が所定の操作を行うことにより、それぞれのＩＰ−ＰＢＸ登録部３２，４２が起動される。ＩＰ−ＰＢＸ登録部３２，４２は、当該電話端末を仮設ＬＡＮ２に接続して自身の端末が利用するＩＰアドレスを取得し、取得したＩＰアドレスと、内線電話番号として登録される自身の端末の固有の電話番号とを含む加入者登録要求を、仮設ＬＡＮ２を介して加入者登録サーバ１６に送信する。
【００３９】
これを受信した加入者登録サーバ１６の加入者情報登録受付部１７は、受け付けた加入者登録要求を呼制御を行うＩＰ−ＰＢＸサーバ１１に転送し、これを受信したＩＰ−ＰＢＸサーバ１１の加入者情報登録管理部１４が、加入者データベース１３にＩＰアドレスと内線電話番号との対応データを登録することにより、加入者登録が完了する。
【００４０】
このとき、対象となる電話端末が携帯電話端末３である場合には、登録される内線電話番号としてＩＰ−ＰＢＸ登録部３２が送信する固有の電話番号は、当該端末に搭載されているＳＩＭカード３３から読み出した登録済みの携帯電話番号とする。
【００４１】
これにより、携帯電話端末３に固有の携帯電話番号が、当該端末の内線電話番号として仮設ＰＢＸシステム１にそのまま登録されることになるので、利用者による手入力が不要となり、容易に加入者登録を行うことができる。また、電話番号の誤入力や虚偽の登録を防止することができる。更に、当該端末の利用者以外の他の利用者は、従前より使用していた通話先の電話番号がそのまま内線電話番号となるので、サービスの利便性が高まる。
【００４２】
また、汎用のＰＣ４ａを新たに電話端末として利用する場合には、当該端末の利用者がＷｅｂブラウザから特定のＵＲＬアドレスにアクセスすることで、加入者登録サーバ１６の加入者情報登録受付部１７によってＩＰ−ＰＢＸ登録部４２の機能が提供される。それにより、ＩＰ−ＰＢＸ登録部４２は、利用者が従前より使用していた固有の電話番号（固定電話番号、ＩＰ電話番号、または内線電話端末として利用できない携帯電話端末の携帯電話番号）の入力を促し、入力された電話番号を含んだ加入者登録要求を、加入者登録サーバ１６に送信する。
【００４３】
図４は、ＩＰ−ＰＢＸサーバ１１ａ，１１ｂ同士で加入者情報を同期することを示す説明図である。
図４に示すように、ＩＰ−ＰＢＸサーバ１１ａは、呼制御部１５ａと、加入者情報登録管理部１４ａと、加入者データベース１３ａと、仮設ＰＢＸデータベース１８ａとを備えている。ＩＰ−ＰＢＸサーバ１１ｂも同様に、呼制御部１５ｂと、加入者情報登録管理部１４ｂと、加入者データベース１３ｂと、仮設ＰＢＸデータベース１８ｂとを備えている。
所定の条件を満たした場合、ＩＰ−ＰＢＸサーバ１１ａとＩＰ−ＰＢＸサーバ１１ｂとの間で加入者情報の同期がなされる。所定の条件とは、新たな電話端末がＩＰ−ＰＢＸサーバ１１ａ，１１ｂと対となる加入者登録サーバ１６（図４に図示せず）にアクセスしたことや、ＩＰ−ＰＢＸサーバ１１ａ，１１ｂが収容している電話端末が削除されたこと、などがある。
【００４４】
加入者情報の同期を行う際、ＩＰ−ＰＢＸサーバ１１ａは、加入者情報登録管理部１４ａにより、加入者情報同期要求をＩＰ−ＰＢＸサーバ１１ｂに送信する。この加入者情報同期要求は、加入者データベース１３ａに登録された加入者情報と、ＩＰ−ＰＢＸサーバ１１ａを識別する仮設ＰＢＸ−ＩＤを含む。この加入者情報は、少なくとも電話端末のＩＰアドレス、および、この電話端末の電話番号を含む。ＩＰ−ＰＢＸサーバ１１ａを識別する仮設ＰＢＸ−ＩＤは、ＩＰ−ＰＢＸサーバ１１ａが記憶する仮設ＰＢＸデータベース１８ａから取得することができる。
【００４５】
また、この加入者情報の同期を行う際、ＩＰ−ＰＢＸサーバ１１ｂは、加入者情報登録管理部１４ｂにより、加入者情報同期要求をＩＰ−ＰＢＸサーバ１１ａに送信する。この加入者情報同期要求は、加入者データベース１３ｂが登録する加入者情報と、ＩＰ−ＰＢＸサーバ１１ｂを識別する仮設ＰＢＸ−ＩＤを含む。この加入者情報は、少なくとも電話端末のＩＰアドレス、および、この電話端末の電話番号を含む。ＩＰ−ＰＢＸサーバ１１ｂを識別する仮設ＰＢＸ−ＩＤは、ＩＰ−ＰＢＸサーバ１１ｂが記憶する仮設ＰＢＸデータベース１８ｂから取得する。
【００４６】
なお、加入者情報の同期を行う複数のＩＰ−ＰＢＸサーバ１１または対となる加入者登録サーバ１６は、スター型、リンク型、階層型、メッシュ型などの任意の論理的なトポロジをとることができる。
【００４７】
図５（ａ），（ｂ）は、本実施形態における各データベースを示す構成図である。
図５（ａ）は、加入者データベース１３の構成を示す図である。
加入者データベース１３の各行に登録される加入者レコードは、ＭＡＣ（Media Access Control）アドレス欄１３１、ＩＰアドレス欄１３２、内線電話番号欄１３３、登録日時欄１３４、登録パスワード欄１３５、収容ＰＢＸ欄１３６の各フィールドから構成されている。
【００４８】
ＭＡＣアドレスとは、装置に搭載される各通信ポートに予め付与されている世界で一意のアドレスである。ＭＡＣアドレス欄１３１は、加入者の電話端末の通信ポートに予め付与されているＭＡＣアドレスを格納する。
ＩＰアドレス欄１３２は、加入者の電話端末に払い出されたＩＰアドレスを格納する。
【００４９】
内線電話番号欄１３３は、加入者の電話端末の内線電話番号を格納する。内線電話番号欄１３３には、加入者登録要求に含まれていた携帯電話番号、固定電話番号、ＩＰ電話番号のいずれかが登録される。
登録日時欄１３４は、加入者の電話端末の登録日時を格納する。
【００５０】
登録パスワード欄１３５は、この加入者レコードの登録パスワードを格納する。登録パスワードは、利用者が加入者登録操作を行うときに指定した任意の文字列である。登録パスワードは、この加入者レコードの更新や削除を行うときに入力が必要な情報である。
【００５１】
収容ＰＢＸとは、加入者登録要求を送信した電話端末を収容するＩＰ−ＰＢＸサーバ１１である。収容ＰＢＸ欄１３６は、このＩＰ−ＰＢＸサーバ１１を識別するＰＢＸ−ＩＤの値を格納する。
【００５２】
ＩＰ−ＰＢＸサーバ１１の制御プログラムとして予め搭載されている呼制御部１５（図２参照）は、仮設ＬＡＮ２に接続された内線電話端末やゲートウェイ６経由で受け付けた呼接続要求を行うときに、この加入者データベース１３を参照する。加入者データベース１３の内線電話番号に固有の電話番号が登録され、加入者登録された電話端末は、直ちに内線電話サービスの対象となる。したがって、加入者登録された内線電話端末の間で、両者に搭載されたＩＰ電話処理部３１，４１を用いた内線通話が可能となる。
【００５３】
図５（ｂ）は、仮設ＰＢＸデータベース１８の構成を示す図である。
図５（ｂ）に示すように、仮設ＰＢＸデータベース１８の各行に登録される仮設ＰＢＸレコードは、ＰＢＸ−ＩＤ欄１８１、ＩＰアドレス欄１８２、接続状態欄１８３、外線発信可否欄１８４、設置日時欄１８５、設置位置欄１８６の各フィールドから構成されている。
【００５４】
ＰＢＸ−ＩＤ欄１８１は、１つの通信可能エリア内にある各ＩＰ−ＰＢＸサーバ１１を識別する番号を格納する。
ＩＰアドレス欄１８２は、ＰＢＸ−ＩＤで識別されるＩＰ−ＰＢＸサーバ１１を一意に識別するＩＰアドレスを格納する。
【００５５】
接続状態欄１８３は、ＰＢＸ−ＩＤで識別されるＩＰ−ＰＢＸサーバ１１と、他のＩＰ−ＰＢＸサーバ１１とが通信可能に接続されているか否かの接続状態の情報を格納する。接続状態欄１８３には、他のＩＰ−ＰＢＸサーバ１１と接続されていることを示す「接続」、他のＩＰ−ＰＢＸサーバ１１と接続されていないことを示す「未接続」、着目するＩＰ−ＰＢＸサーバ１１自身を示す「自身」のうち、いずれかの値が格納される。
【００５６】
例えば、ＩＰ−ＰＢＸサーバ１１の各々が、他のすべてのＩＰ−ＰＢＸサーバ１１との接続状態を監視する監視手段を有するとよい。ＩＰ−ＰＢＸサーバ１１の各々が、前記監視手段によって、自身のＩＰ−ＰＢＸサーバ１１から他のＩＰ−ＰＢＸサーバ１１のすべてに接続確認要求を定期的に行い、応答があるか否かを判定することで接続状態を決定することができる。応答があれば「接続」と決定し、応答が無ければ「未接続」と決定する。
【００５７】
また、監視手段を、ＣＬＩ（Command Line Interface）を用いて、管理者がSIP Registerメッセージを他のＩＰ−ＰＢＸサーバ１１のすべてに送信する手段とすることもできる。この手段であれば、ＩＰ−ＰＢＸサーバ１１の接続または未接続によるＰＢＸ連携システムの構成変更を即時に検出することができる。
【００５８】
外線発信可否欄１８４は、ＩＰ−ＰＢＸサーバ１１が異なるエリアの電話端末に発信できるか否かの情報を格納する。ＩＰ−ＰＢＸサーバ１１は、例えば公衆電話網８やＩＰ網９などに接続されているとき、異なるエリアにいる電話端末に発信可能である。外線発信可否欄１８４は、外線発信できることを示す「発信可」、外線発信できないことを示す「発信不可」のうち、いずれかの値が格納される。
【００５９】
設置日時欄１８５は、ＩＰ−ＰＢＸサーバ１１が被災したエリアＡなどに設置された日時情報を格納する。
設置位置欄１８６は、ＩＰ−ＰＢＸサーバ１１が設置された場所情報を格納する。設置位置欄１８６には、例えば、避難所の住所などが格納される。
【００６０】
ＩＰ−ＰＢＸサーバ１１の制御プログラムとして予め搭載されている呼制御部１５（図２参照）は、仮設ＬＡＮ２に接続された内線電話端末の呼接続要求の処理やゲートウェイ６経由で受け付けた呼接続要求の処理を行うときに、加入者データベース１３を参照するように設計されている。呼制御部１５によって、加入者データベース１３の内線電話番号に固有の電話番号が登録されて加入者登録された電話端末を呼出し、通話を開始することができる。したがって、加入者登録された内線電話端末の間で、両者に搭載されたＩＰ電話処理部３１，４１を用いた内線通話が可能となる。更にＩＰ−ＰＢＸサーバ１１が携帯電話網７・公衆電話網８・ＩＰ網９などに接続されていれば、呼制御部１５は、外線発信を行うことができる。
【００６１】
これまでに説明した、携帯電話端末３と、汎用のＰＣ４ａと、ＩＰ電話端末４ｃと、ＩＰ−ＰＢＸサーバ１１と、管理端末１２と、加入者登録サーバ１６とは、それぞれ入力部、出力部、制御部および記憶部といったハードウェアを含むコンピュータである。制御部が、例えば、ＣＰＵ（Central Processing Unit）から構成される場合、その制御部を含むコンピュータによる情報処理は、ＣＰＵによるプログラム実行処理で実現する。また、そのコンピュータが含む記憶部は、ＣＰＵが指令し、そのコンピュータの機能を実現するためのプログラムを記憶する。これによりソフトウェアとハードウェアの協働が実現される。このプログラムは、記録媒体に記録したり、ネットワークを経由したりすることで提供される。
【００６２】
（処理）
次に、本実施形態における処理について説明する。
図６は、本実施形態における内線電話端末３ｓの登録のシーケンス図である。
ここでは災害などにより、平常動作時の通信経路が遮断された場合を考える。この場合にユーザは、例えば携帯電話端末３を災害時の動作モードに切り換えるための所定の操作を行う。すると、携帯電話端末３は、例えば、無線ＬＡＮ基地局２２（図１参照）を介して仮設ＬＡＮ２に接続する。
ユーザはまた、有線接続しかできないＩＰ電話端末４ｃや汎用のＰＣ４ａなどを災害時の動作モードに切り換えるための所定の操作を行う。すると、ＩＰ電話端末４ｃや汎用のＰＣ４ａなどは、仮設のＬＡＮケーブルやＨＵＢ２１（図１参照）を介して仮設ＬＡＮ２に接続してもよい。
【００６３】
以下の図６から図８では、被災したエリアＡ内の携帯電話端末３・ＩＰ電話端末４ｃ・汎用のＰＣ４ａなどを総称して、内線電話端末３ｓと記載する。携帯電話網７・公衆電話網８やＩＰ網９などを総称して、他電話網９ｄと記載する。内線電話端末３ｓの発信先の電話端末を総称して、発信先電話端末４ｄと記載する。
【００６４】
シーケンスＱ１０において、内線電話端末３ｓは、仮設ＬＡＮ２の不図示のＤＨＣＰ（Dynamic Host Configuration Protocol）サーバに、自身のＭＡＣアドレスを通知して、この仮設ＬＡＮ２への接続要求を行う。このＤＨＣＰサーバは、仮設ＬＡＮ２に接続される端末のＩＰアドレスを管理するものである。
【００６５】
シーケンスＱ１１において、仮設ＬＡＮ２のＤＨＣＰサーバ（不図示）は、この接続要求を受け付けて、ＩＰアドレスを１つ払い出して内線電話端末３ｓに通知する。内線電話端末３ｓは、ＩＰアドレスの払い出しを受ける。これ以降、内線電話端末３ｓは、払い出されたＩＰアドレスを利用することで、仮設ＬＡＮ２に接続されている他の内線電話端末３ｓとの間の通信が可能となる。
【００６６】
シーケンスＱ１２において、内線電話端末３ｓは、仮設ＬＡＮ２の不図示のＤＮＳ（Domain Name System）サーバに、予め記憶部に設定されている仮設ＰＢＸシステム１のサーバ名の名前解決を要求する。ここで名前解決とは、ドメイン名からＩＰアドレスを取得することである。
シーケンスＱ１３において、仮設ＬＡＮ２のＤＮＳサーバ（不図示）は、加入者登録サーバ１６およびＩＰ−ＰＢＸサーバ１１のＩＰアドレスの通知を受ける。
【００６７】
シーケンスＱ１４において、内線電話端末３ｓは、通知されたＩＰアドレスを用いて加入者登録サーバ１６（図３参照）に、自身のＭＡＣアドレス・ＩＰアドレス・固有電話番号・登録パスワードなどを含む加入者登録要求を送信する。以下、この内線電話端末３ｓが未登録のシーケンスＱ１４ａと、登録済のシーケンスＱ１４ｂとに分岐する。
シーケンスＱ１４ａ〜Ｑ１６ａは、この内線電話端末３ｓが未登録の場合のシーケンスである。
シーケンスＱ１４ａにおいて、内線電話端末３ｓが携帯電話端末３の場合、携帯電話端末３は、ＳＩＭカード３３から電話番号を読み出して、自身のＩＰ電話処理部３１に設定する。内線電話端末３ｓがＩＰ電話端末４ｃの場合、このＩＰ電話端末４ｃは、電話番号格納部４３ｃの自身の電話番号をＩＰ電話処理部４１に設定する。内線電話端末３ｓが汎用のＰＣ４ａの場合、この汎用のＰＣ４ａは、電話番号取得部４３ａが取得した電話番号をＩＰ電話処理部４１に設定する。
内線電話端末３ｓは更に、通知されたＩＰアドレスを用いて加入者登録サーバ１６（図３参照）に、自身のＭＡＣアドレス・ＩＰアドレス・固有電話番号・登録パスワードなどを含むSIP Register（加入者登録要求）を送信する。このSIP Register（加入者登録要求）を受信した加入者登録サーバ１６は、対となるＩＰ−ＰＢＸサーバ１１に、この加入者登録要求を転送する。
【００６８】
シーケンスＱ１５ａにおいて、ＩＰ−ＰＢＸサーバ１１は、この加入者登録要求を受け付けて、番号の重複登録確認や信頼度レベルの決定を行った上で、加入者登録要求固有のＩＰアドレスと電話番号とを対応付けて、加入者データベース１３に加入者レコードを追加登録する。これにより内線電話端末３ｓを、新たな内線として収容することができる。
シーケンスＱ１６ａにおいて、ＩＰ−ＰＢＸサーバ１１は、加入者レコードの登録結果を、この内線電話端末３ｓに通知する。これにより、一連の加入者登録動作が完了する。
【００６９】
シーケンスＱ１４ｂ〜Ｑ１５ｂは、この内線電話端末３ｓが登録済の場合のシーケンスである。
シーケンスＱ１４ｂにおいて、内線電話端末３ｓは、通知されたＩＰアドレスを用いて加入者登録サーバ１６（図３参照）に、自身のＭＡＣアドレス・ＩＰアドレス・固有電話番号・登録パスワードなどを含むSIP Register（加入者登録要求）を送信する。このSIP Registerを受信した加入者登録サーバ１６は、対となるＩＰ−ＰＢＸサーバ１１に、この加入者登録要求を転送する。
シーケンスＱ１５ｂにおいて、ＩＰ−ＰＢＸサーバ１１は、この加入者が既に加入者データベース１３に登録されていると判断し、この判断結果を、内線電話端末３ｓに通知する。これにより、一連の加入者登録動作が完了する。
【００７０】
なお、内線電話端末３ｓと、加入者登録サーバ１６やＩＰ−ＰＢＸサーバ１１との間の通信には、ＨＴＴＰ（HyperText Transfer Protocol）などのＴＣＰ／ＩＰ（Transmission Control Protocol／Internet Protocol）通信を用いることができる。
【００７１】
図７は、本実施形態における加入者登録された内線電話端末３ｓからの発信動作のシーケンス図である。
シーケンスＱ２０は、内線電話端末３ｓがＩＰ−ＰＢＸサーバ１１に発信先電話番号を送出するシーケンスである。以下、この内線電話端末３ｓが加入者登録済のシーケンスＱ２０ａと、加入者未登録のシーケンスＱ２０ｂとに分岐する。
シーケンスＱ２０ａ〜Ｑ２４は、この発信先電話番号が加入者登録済の場合のシーケンスである。
シーケンスＱ２０ａにおいて、内線電話端末３ｓは、ＩＰ−ＰＢＸサーバ１１に発信先電話番号を送出する。
シーケンスＱ２１において、ＩＰ−ＰＢＸサーバ１１は、この発信先電話番号に係る発信先電話端末４ｄのＩＰアドレスを取得する。
シーケンスＱ２２において、ＩＰ−ＰＢＸサーバ１１は、取得したＩＰアドレスに係る発信先電話端末４ｄをＬＡＮ経由で呼び出す。
シーケンスＱ２３において、発信先電話端末４ｄは、ＩＰ−ＰＢＸサーバ１１に対して、応答する。
シーケンスＱ２４において、ＩＰ−ＰＢＸサーバ１１は、内線電話端末３ｓと発信先電話端末４ｄの両者を接続する。内線電話端末３ｓと発信先電話端末４ｄとは、通話を開始することができる。
【００７２】
シーケンスＱ２０ｂ，Ｑ３１〜Ｑ３５は、内線電話端末３ｓが送出した発信先電話番号が加入者データベース１３に未登録の場合のシーケンスである。シーケンスＱ２０ｂにおいて、内線電話端末３ｓは、ＩＰ−ＰＢＸサーバ１１に発信先電話番号を送出する。
シーケンスＱ３１において、ＩＰ−ＰＢＸサーバ１１は、発信先電話番号が加入者データベース１３に登録されていないので、その発信先電話番号は外線の電話番号であると判定する。ＩＰ−ＰＢＸサーバ１１は、この発信先電話番号と、発外線電話番号（ＩＰ−ＰＢＸサーバ１１の外線電話番号）と発内線電話番号（不図示）とを、ゲートウェイ６（図１参照）経由で他電話網９ｄに送出する。これにより、ＩＰ−ＰＢＸサーバ１１は、他電話網９ｄを介して発信先電話端末４ｄに発呼する。
シーケンスＱ３２において、他電話網９ｄは、不図示の呼制御部により、この発信先電話番号に係る発信先電話端末４ｄを呼び出す。
シーケンスＱ３３において、発信先電話端末４ｄは、他電話網９ｄに対して応答する。
シーケンスＱ３４において、他電話網９ｄは、ＩＰ−ＰＢＸサーバ１１に対して応答を転送する。
【００７３】
シーケンスＱ３５において、ＩＰ−ＰＢＸサーバ１１は、内線電話端末３ｓと発信先電話端末４ｄの両者を接続する。これにより、内線電話端末３ｓと発信先電話端末４ｄとは、通話を開始することができる。
【００７４】
図８は、本実施形態における内線電話端末３ｓへの着信のシーケンス図である。
外線である発信先電話端末４ｄには、内線電話端末３ｓからの発信を受けた際に、発信元電話番号としてＩＰ−ＰＢＸサーバ１１の外線電話番号が通知され、その番号が記録される。また、外線電話端末の種類によっては、発信元となった発内線電話番号も同時に受信され記録される。そこで、発信先電話端末４ｄ（外線）の利用者は、通知されたＩＰ−ＰＢＸサーバ１１の外線電話番号に対して折り返しの発呼を行う。
【００７５】
シーケンスＱ４０において、発信先電話端末４ｄは、ＩＰ−ＰＢＸサーバ１１の外線電話番号に対して、折り返し発呼する。
シーケンスＱ４１において、ＩＰ−ＰＢＸサーバ１１は、発信元電話端末４からの着呼に応答し、トーキーで接続先内線電話番号の送信を要求する。
シーケンスＱ４２において、発信元電話端末４は、利用者の操作によって接続先の内線電話番号を選択または入力されて、この内線電話番号をＩＰ−ＰＢＸサーバ１１に送信する。利用者は、内線電話端末３ｓからの着信時に記録した発内線電話番号を選択する。利用者はまた、被災したエリアＡ（図１参照）にいる可能性のある親戚や知人などの携帯電話番号や固定電話番号などを入力してもよい。以下、接続先の内線電話番号が加入者データベース１３に登録済のシーケンスＱ４２ａと、接続先の内線電話番号が加入者データベース１３に未登録のシーケンスＱ４２ｂとに分岐する。
【００７６】
以下のシーケンスＱ４２ａ〜Ｑ４６は、接続先の内線電話番号が加入者データベース１３に登録されているときのものである。シーケンスＱ４２ａにおいて、発信元電話端末４は、選択または入力された接続先の内線電話番号をＩＰ−ＰＢＸサーバ１１に送信する。
シーケンスＱ４３において、ＩＰ−ＰＢＸサーバ１１は、着呼時に通知される発内線電話番号をキーに、加入者データベース１３を検索する。ＩＰ−ＰＢＸサーバ１１は、加入者データベース１３に接続先の内線電話番号が格納されていれば、ＬＡＮ経由で接続先の内線電話端末３ｓを呼び出すためのＭＡＣアドレスとＩＰアドレスとを取得する。
シーケンスＱ４４において、ＩＰ−ＰＢＸサーバ１１は、取得したＭＡＣアドレスとＩＰアドレスとに基づき、発信先を呼び出す。ここで発信先とは、内線電話端末３ｓである。
シーケンスＱ４５において、内線電話端末３ｓは、呼び出しに応答する。
シーケンスＱ４６において、ＩＰ−ＰＢＸサーバ１１は、発信先電話端末４ｄと内線電話端末３ｓの両者を接続する。これにより、発信先電話端末４ｄと内線電話端末３ｓとは、通話を開始することができる。
【００７７】
こうすることにより、例えば、大規模災害などによって電話が利用不能となった携帯電話端末３を、新たに設置する仮設ＰＢＸシステム１の内線電話端末３ｓとして収容できる。仮設ＰＢＸシステム１は更に、携帯電話端末３に付与されている携帯電話番号を、内線電話番号としてそのまま利用する。よって、仮設ＰＢＸシステム１は、携帯電話端末３の収容にあたり、内線電話番号の入力無しに正確かつ容易に加入者登録し、内線電話端末３ｓとして動作させることができる。
【００７８】
シーケンスＱ４２ｂにおいて、発信先電話端末４ｄは、選択または入力された接続先の内線電話番号をＩＰ−ＰＢＸサーバ１１に送信する。ＩＰ−ＰＢＸサーバ１１は、接続先の内線電話番号をキーに、加入者データベース１３を検索する。ＩＰ−ＰＢＸサーバ１１は、加入者データベース１３に接続先の内線電話番号が格納されていないと判断する。
シーケンスＱ５１において、ＩＰ−ＰＢＸサーバ１１は、発信先電話端末４ｄに、トーキーで呼出し不能を通知する。これにより、発信先電話端末４ｄのユーザに対して、この接続先の内線電話番号の電話端末の状況を伝えることができる。
【００７９】
＜その他＞
本実施形態は、本発明を好適に実施するための一例あって、本発明を限定するためのものではない。よって、本発明の要旨を変更しない範囲内において、本実施形態を種々変形することが可能である。
【００８０】
また、本実施形態で説明した種々の技術を適宜組み合わせた技術を実現することもできる。
また、本実施形態で説明したソフトウェアをハードウェアとして実現することもでき、ハードウェアをソフトウェアとして実現することもできる。
その他、ハードウェア、ソフトウェア、フローチャートなどについて、本発明の趣旨を逸脱しない範囲で適宜変更が可能である。
【符号の説明】
【００８１】
１  仮設ＰＢＸシステム
１１  ＩＰ−ＰＢＸサーバ
１２  管理端末
１３  加入者データベース
１４  加入者情報登録管理部
１５  呼制御部
１６  加入者登録サーバ
１７  加入者情報登録受付部
１８  仮設ＰＢＸデータベース
２  仮設ＬＡＮ
２１  ＨＵＢ
２２  無線ＬＡＮ基地局
３  携帯電話端末
３ｓ  内線電話端末
３１  ＩＰ電話処理部
３２  ＩＰ−ＰＢＸ登録部
３３  ＳＩＭカード
４ａ  ＰＣ
４ｃ  ＩＰ電話端末
４ｄ  発信先電話端末
４１  ＩＰ電話処理部
４２  ＩＰ−ＰＢＸ登録部
４３ｃ  電話番号格納部
４３ａ  電話番号取得部
５−１，５−２  固定電話端末
Ａ  エリア
６  ゲートウェイ
７  携帯電話網
７１  携帯電話基地局
８  公衆電話網
８１  電話交換局
９  ＩＰ網
９１  ＩＰ中継局
９ｄ  他電話網
【図１】
2015154347.tif 000003
【図２】
2015154347.tif 000004
【図３】
2015154347.tif 000005
【図４】
2015154347.tif 000006
【図５】
2015154347.tif 000007
【図６】
2015154347.tif 000008
【図７】
2015154347.tif 000009
【図８】
2015154347.tif 000010
【図９】
2015154347.tif 000011
【手続補正書】
【提出日】平成27年3月30日(2015.3.30)
【手続補正１】
【補正対象書類名】特許請求の範囲
【補正対象項目名】全文
【補正方法】変更
【補正の内容】
【特許請求の範囲】
【請求項１】
加入者の端末情報を格納する加入者データベースと、
固有のＩＰアドレスが払い出され、かつ固有の電話番号が格納されているＩＰ電話端末から、前記固有のＩＰアドレスと前記固有の電話番号の登録命令を受信したならば、前記ＩＰ電話端末から受信した前記固有のＩＰアドレスと前記固有の電話番号とを対応付けて前記加入者データベースに登録し、前記ＩＰ電話端末を内線電話端末として加入者登録する加入者情報登録管理部と、
を備えることを特徴とするＰＢＸシステム。
【請求項２】
前記ＩＰ電話端末は、
ＩＰ通信による通話を実行するＩＰ電話処理部と、
前記固有の電話番号が格納されたＳＩＭ（Subscriber Identity Module）カードと、
ＰＢＸシステムが接続されているＬＡＮから前記固有のＩＰアドレスの払い出しを受けたのち、ＰＢＸシステムに前記固有のＩＰアドレスと前記固有の電話番号の登録命令を送信して、送信した前記固有のＩＰアドレスと前記固有の電話番号に基づいて自身をＰＢＸシステムの内線電話端末として前記ＰＢＸシステムに加入者登録させるＩＰ−ＰＢＸ登録部と、
を備える携帯電話端末である、
ことを特徴とする請求項１に記載のＰＢＸシステム。
【請求項３】
ＬＡＮを介してＰＢＸシステムに収容可能な電話端末であって、
当該電話端末が格納する固有の電話番号を取得する電話番号取得部と、
前記固有の電話番号が設定されて、ＩＰ電話の処理を実行するＩＰ電話処理部と、
前記ＰＢＸシステムが接続されている前記ＬＡＮから固有のＩＰアドレスの払い出しを受けたのち、前記ＰＢＸシステムに前記固有のＩＰアドレスと前記固有の電話番号の登録命令を送信して、送信した前記固有のＩＰアドレスと前記固有の電話番号に基づいて自身を前記ＰＢＸシステムの内線電話端末として前記ＰＢＸシステムに加入者登録させるＩＰ−ＰＢＸ登録部と、
を備えることを特徴とする電話端末。
【請求項４】
請求項３に記載の電話端末に、
前記ＰＢＸシステムが接続されている前記ＬＡＮから前記固有のＩＰアドレスの払い出しを受けるステップと、
前記ＰＢＸシステムに前記固有のＩＰアドレスと前記固有の電話番号の登録命令を送信して、送信した前記固有のＩＰアドレスと前記固有の電話番号に基づいて自身を前記ＰＢＸシステムの内線電話端末として前記ＰＢＸシステムに加入者登録させるステップと、
前記固有の電話番号が設定されて、ＩＰ電話の処理を実行するステップと、
を実行させるための電話端末のプログラム。
【請求項５】
無線ＬＡＮを介してＰＢＸシステムに収容可能な携帯電話端末であって、
当該携帯電話端末が格納する固有の電話番号が格納されたＳＩＭカードと、
前記固有の電話番号が設定されて、ＩＰ電話の処理を実行するＩＰ電話処理部と、
前記ＰＢＸシステムが接続されている前記無線ＬＡＮから固有のＩＰアドレスの払い出しを受けたのち、前記ＰＢＸシステムに前記固有のＩＰアドレスと前記固有の電話番号の登録命令を送信して、送信した前記固有のＩＰアドレスと前記固有の電話番号に基づいて自身を前記ＰＢＸシステムの内線電話端末として前記ＰＢＸシステムに加入者登録させるＩＰ−ＰＢＸ登録部と、
を備えることを特徴とする携帯電話端末。
【請求項６】
請求項５に記載の携帯電話端末に、
前記ＰＢＸシステムが接続されている前記無線ＬＡＮから前記固有のＩＰアドレスの払い出しを受けるステップと、
前記ＰＢＸシステムに前記固有のＩＰアドレスと前記固有の電話番号の登録命令を送信して、送信した前記固有のＩＰアドレスと前記固有の電話番号に基づいて自身を前記ＰＢＸシステムの内線電話端末として前記ＰＢＸシステムに加入者登録させるステップと、
前記固有の電話番号が設定されて、ＩＰ電話の処理を実行するステップと、
を実行させるための携帯電話端末のプログラム。
【請求項７】
無線ＬＡＮを介してＰＢＸシステムに収容可能な携帯電話端末を内線電話端末として加入者登録する加入者情報登録方法であって、
前記携帯電話端末は、前記ＰＢＸシステムが接続されている前記無線ＬＡＮの基地局から固有のＩＰアドレスの払い出しを受けるステップと、
自身に搭載されているＳＩＭカードから固有の電話番号を読み出して、自身のＩＰ電話処理部に設定するステップと、
前記ＰＢＸシステムに前記固有のＩＰアドレスと前記固有の電話番号の登録命令を送信するステップと、を実行し、
前記ＰＢＸシステムは、前記固有のＩＰアドレスと前記固有の電話番号とを対応付けて、前記携帯電話端末から送信された前記固有のＩＰアドレスと前記固有の電話番号に基づいて、新たに収容する内線電話端末の加入者情報として加入者データベースに登録するステップを実行する、
ことを特徴とするＰＢＸシステムの携帯電話端末の加入者情報登録方法。
【請求項８】
ＬＡＮを介してＰＢＸシステムに収容可能な電話端末を内線電話端末として加入者登録する加入者情報登録方法であって、
前記電話端末は、前記ＰＢＸシステムが接続されている前記ＬＡＮから固有のＩＰアドレスの払い出しを受けるステップと、
自身の固有の電話番号をＩＰ電話処理部に設定するステップと、
前記ＰＢＸシステムに前記固有のＩＰアドレスと前記固有の電話番号の登録命令を送信するステップと、を実行し、
前記ＰＢＸシステムは、前記固有のＩＰアドレスと前記固有の電話番号とを対応付けて、前記電話端末から送信された前記固有のＩＰアドレスと前記固有の電話番号に基づいて、新たに収容する内線電話端末の加入者情報として加入者データベースに登録するステップを実行する、
ことを特徴とするＰＢＸシステムの電話端末の加入者情報登録方法。
【手続補正３】
【補正対象書類名】明細書
【補正対象項目名】０００１
【補正方法】変更
【補正の内容】
【０００１】
本発明は、大規模災害などによって電話が利用不能となった被災地に、従前より使用されていたスマートフォンなどの携帯電話端末や電話端末を用いて臨時の電話サービスを好適に提供するＰＢＸ（Private Branch eXchange）システム、電話端末、電話端末のプログラム、携帯電話端末、携帯電話端末のプログラム、ＰＢＸシステムの携帯電話端末の加入者情報登録方法、およびＰＢＸシステムの電話端末の加入者情報登録方法に関する。
【手続補正４】
【補正対象書類名】明細書
【補正対象項目名】０００５
【補正方法】変更
【補正の内容】
【０００５】
本発明は、前記の問題点に鑑みてなされたものであり、被災地などに設置される仮設ＰＢＸシステムへの加入者情報の登録を迅速化し、早期に電話サービスを提供できるＰＢＸシステム、電話端末、電話端末のプログラム、携帯電話端末、携帯電話端末のプログラム、ＰＢＸシステムの携帯電話端末の加入者情報登録方法、およびＰＢＸシステムの電話端末の加入者情報登録方法を提供することを目的とする。
【手続補正５】
【補正対象書類名】明細書
【補正対象項目名】０００６
【補正方法】変更
【補正の内容】
【０００６】
前記の目的を達成するために、請求項１に記載の発明では、加入者の端末情報を格納する加入者データベースと、固有のＩＰアドレスが払い出され、かつ固有の電話番号が格納されているＩＰ電話端末から、前記固有のＩＰアドレスと前記固有の電話番号の登録命令を受信したならば、前記ＩＰ電話端末から受信した前記固有のＩＰアドレスと前記固有の電話番号とを対応付けて前記加入者データベースに登録し、前記ＩＰ電話端末を内線電話端末として加入者登録する加入者情報登録管理部と、を備えることを特徴とするＰＢＸシステムとした。
【手続補正６】
【補正対象書類名】明細書
【補正対象項目名】０００８
【補正方法】変更
【補正の内容】
【０００８】
請求項２に記載の発明では、前記ＩＰ電話端末は、ＩＰ通信による通話を実行するＩＰ電話処理部と、前記固有の電話番号が格納されたＳＩＭ（Subscriber Identity Module）カードと、ＰＢＸシステムが接続されているＬＡＮから前記固有のＩＰアドレスの払い出しを受けたのち、ＰＢＸシステムに前記固有のＩＰアドレスと前記固有の電話番号の登録命令を送信して、送信した前記固有のＩＰアドレスと前記固有の電話番号に基づいて自身をＰＢＸシステムの内線電話端末として前記ＰＢＸシステムに加入者登録させるＩＰ−ＰＢＸ登録部と、を備える携帯電話端末である、ことを特徴とする請求項１に記載のＰＢＸシステムとした。
【手続補正７】
【補正対象書類名】明細書
【補正対象項目名】００１０
【補正方法】変更
【補正の内容】
【００１０】
請求項３に記載の発明では、ＬＡＮを介してＰＢＸシステムに収容可能な電話端末であって、当該電話端末が格納する固有の電話番号を取得する電話番号取得部と、前記固有の電話番号が設定されて、ＩＰ電話の処理を実行するＩＰ電話処理部と、前記ＰＢＸシステムが接続されている前記ＬＡＮから固有のＩＰアドレスの払い出しを受けたのち、前記ＰＢＸシステムに前記固有のＩＰアドレスと前記固有の電話番号の登録命令を送信して、送信した前記固有のＩＰアドレスと前記固有の電話番号に基づいて自身を前記ＰＢＸシステムの内線電話端末として前記ＰＢＸシステムに加入者登録させるＩＰ−ＰＢＸ登録部と、を備えることを特徴とする電話端末とした。
【手続補正８】
【補正対象書類名】明細書
【補正対象項目名】００１２
【補正方法】変更
【補正の内容】
【００１２】
請求項４に記載の発明では、請求項３に記載の電話端末に、前記ＰＢＸシステムが接続されている前記ＬＡＮから前記固有のＩＰアドレスの払い出しを受けるステップと、前記ＰＢＸシステムに前記固有のＩＰアドレスと前記固有の電話番号の登録命令を送信して、送信した前記固有のＩＰアドレスと前記固有の電話番号に基づいて自身を前記ＰＢＸシステムの内線電話端末として前記ＰＢＸシステムに加入者登録させるステップと、前記固有の電話番号が設定されて、ＩＰ電話の処理を実行するステップと、を実行させるための電話端末のプログラムとした。
【手続補正９】
【補正対象書類名】明細書
【補正対象項目名】００１４
【補正方法】変更
【補正の内容】
【００１４】
請求項５に記載の発明では、無線ＬＡＮを介してＰＢＸシステムに収容可能な携帯電話端末であって、当該携帯電話端末が格納する固有の電話番号が格納されたＳＩＭカードと、前記固有の電話番号が設定されて、ＩＰ電話の処理を実行するＩＰ電話処理部と、前記ＰＢＸシステムが接続されている前記無線ＬＡＮから固有のＩＰアドレスの払い出しを受けたのち、前記ＰＢＸシステムに前記固有のＩＰアドレスと前記固有の電話番号の登録命令を送信して、送信した前記固有のＩＰアドレスと前記固有の電話番号に基づいて自身を前記ＰＢＸシステムの内線電話端末として前記ＰＢＸシステムに加入者登録させるＩＰ−ＰＢＸ登録部と、を備えることを特徴とする携帯電話端末とした。
【手続補正１０】
【補正対象書類名】明細書
【補正対象項目名】００１６
【補正方法】変更
【補正の内容】
【００１６】
請求項６に記載の発明では、請求項５に記載の携帯電話端末に、前記ＰＢＸシステムが接続されている前記無線ＬＡＮから前記固有のＩＰアドレスの払い出しを受けるステップと、前記ＰＢＸシステムに前記固有のＩＰアドレスと前記固有の電話番号の登録命令を送信して、送信した前記固有のＩＰアドレスと前記固有の電話番号に基づいて自身を前記ＰＢＸシステムの内線電話端末として前記ＰＢＸシステムに加入者登録させるステップと、前記固有の電話番号が設定されて、ＩＰ電話の処理を実行するステップと、を実行させるための携帯電話端末のプログラムとした。
【手続補正１１】
【補正対象書類名】明細書
【補正対象項目名】００１８
【補正方法】変更
【補正の内容】
【００１８】
請求項７に記載の発明では、無線ＬＡＮを介してＰＢＸシステムに収容可能な携帯電話端末を内線電話端末として加入者登録する加入者情報登録方法であって、前記携帯電話端末は、前記ＰＢＸシステムが接続されている前記無線ＬＡＮの基地局から固有のＩＰアドレスの払い出しを受けるステップと、自身に搭載されているＳＩＭカードから固有の電話番号を読み出して、自身のＩＰ電話処理部に設定するステップと、前記ＰＢＸシステムに前記固有のＩＰアドレスと前記固有の電話番号の登録命令を送信するステップと、を実行し、前記ＰＢＸシステムは、前記固有のＩＰアドレスと前記固有の電話番号とを対応付けて、前記携帯電話端末から送信された前記固有のＩＰアドレスと前記固有の電話番号に基づいて、新たに収容する内線電話端末の加入者情報として加入者データベースに登録するステップを実行する、ことを特徴とするＰＢＸシステムの携帯電話端末の加入者情報登録方法とした。
【手続補正１２】
【補正対象書類名】明細書
【補正対象項目名】００２０
【補正方法】変更
【補正の内容】
【００２０】
請求項８に記載の発明では、ＬＡＮを介してＰＢＸシステムに収容可能な電話端末を内線電話端末として加入者登録する加入者情報登録方法であって、前記電話端末は、前記ＰＢＸシステムが接続されている前記ＬＡＮから固有のＩＰアドレスの払い出しを受けるステップと、自身の固有の電話番号をＩＰ電話処理部に設定するステップと、前記ＰＢＸシステムに前記固有のＩＰアドレスと前記固有の電話番号の登録命令を送信するステップと、を実行し、前記ＰＢＸシステムは、前記固有のＩＰアドレスと前記固有の電話番号とを対応付けて、前記電話端末から送信された前記固有のＩＰアドレスと前記固有の電話番号に基づいて、新たに収容する内線電話端末の加入者情報として加入者データベースに登録するステップを実行する、ことを特徴とするＰＢＸシステムの電話端末の加入者情報登録方法とした。
【手続補正１３】
【補正対象書類名】明細書
【補正対象項目名】００２２
【補正方法】変更
【補正の内容】
【００２２】
本発明によれば、被災地などに設置される仮設ＰＢＸシステムへの加入者情報登録を迅速化し、早期に電話サービスを提供できるＰＢＸシステム、電話端末、電話端末のプログラム、携帯電話端末、携帯電話端末のプログラム、ＰＢＸシステムの携帯電話端末の加入者情報登録方法、およびＰＢＸシステムの電話端末の加入者情報登録方法を提供することが可能となる。